(57)【要約】      （修正有）【課題】鏡、筆記具による書き込み板、小物取付板、及び書類掲示板などの多用途に利用できる多目的ボードセットを提供する。【解決手段】多目的ボードセット１は、少なくとも一面側の表面が鏡面仕上げされた磁性を有するステンレス板１０と、該ステンレス板１０の表面に着脱自在のマグネットホルダー５１、５２とを備えている。前記表面には、草木の景色を表現した意匠性を有する絵柄が施されている。前記絵柄は、スクリーン印刷により施されたものである。前記ステンレス板は、フェライト系ステンレス素材であるＳＵＳ４３０である。前記マグネットホルダーは、意匠性を有する合成樹脂からなるマグネットホルダー本体と、該マグネットホルダー本体に挿着したマグネットと、からなる。前記合成樹脂は、弾性変形可能な熱可塑性エラストマーであることが好ましい。【選択図】図１
0003161826.tif 000002
【実用新案登録請求の範囲】
【請求項１】
少なくとも一面側の表面が鏡面仕上げされた磁性を有するステンレス板と、該ステンレス板の表面に着脱自在のマグネットホルダーと、を備えている多目的ボードセット。
【請求項２】
前記表面には、意匠性を有する絵柄が施されている請求項１に記載の多目的ボードセット。
【請求項３】
前記絵柄は、草木の景色を表現したものである請求項２に記載の多目的ボードセット。
【請求項４】
前記絵柄は、スクリーン印刷により施されたものである請求項２又は３に記載の多目的ボードセット。
【請求項５】
前記ステンレス板はフェライト系ステンレス素材である請求項１乃至４のうちのいずれか１項に記載の多目的ボードセット。
【請求項６】
前記フェライト系ステンレス素材はＳＵＳ４３０である請求項５に記載の多目的ボードセット。
【請求項７】
前記マグネットホルダーは、意匠性を有する合成樹脂からなるマグネットホルダー本体と、該マグネットホルダー本体に挿着したマグネットと、からなる請求項１乃至６のうちのいずれか１項に記載の多目的ボードセット。
【請求項８】
前記合成樹脂は、弾性変形可能な軟質材である請求項７に記載の多目的ボードセット。
【請求項９】
前記軟質材は、熱可塑性エラストマーである請求項８に記載の多目的ボードセット。
【請求項１０】
前記マグネットホルダー本体が、動物又は植物の形態を表現したものである請求項７乃至９のうちのいずれか１項に記載の多目的ボードセット。
【請求項１１】
少なくとも一面側の表面が鏡面仕上げされ、且つ、意匠性を有する絵柄が施されているＳＵＳ４３０素材のステンレス板と、
該ステンレス板の表面に着脱自在のマグネットホルダーと、を備え、
前記マグネットホルダーは、意匠性を有する熱可塑性エラストマーからなるマグネットホルダー本体と、該マグネットホルダーに挿着したマグネットと、からなることを特徴とする多目的ボードセット。
【考案の詳細な説明】
【技術分野】
【０００１】
本考案は、多目的ボードセットに関する。更に詳しくは、鏡、筆記具による書き込み板、小物取付板、及び書類掲示板などの多用途に利用できる多目的ボードセットに関する。
【背景技術】
【０００２】
従来、鏡は、ものを写し見る機能をするのみで、他の作用をするものではなかった。また、ホワイトボードは、マーカー等の筆記具で筆記したり、それを消したりするものであり、特に他の機能は有しないのが通常である。
ここで、鏡にホワイトボードを付け、ホワイトボード用のボード消しを付属したホワイトボード付の鏡が提案されている（例えば、特許文献１参照。）。
このホワイトボード付の鏡であれば、外出の際、鏡を見るときに、ホワイトボードに書き込んだ事項を見ることができるため、忘れ物を防ぐことができる。
【０００３】
また、シート状ゴム磁石に合成樹脂製の装飾層を設けた、多目的平板体が提案されている（例えば、特許文献２参照。）。この多目的平板体は、マーカーによる書き消しができると共に紙片や小物を着脱することができる。
【先行技術文献】
【特許文献】
【０００４】
【特許文献１】特開２００３−１１１６５４号公報
【特許文献２】実開平７−２３５９５号公報
【考案の概要】
【考案が解決しようとする課題】
【０００５】
しかし、特許文献１に記載のホワイトボード付の鏡は、ホワイトボードと鏡のそれぞれ別体のものを接続して一体としたものであり、それぞれが、個別にその機能を果たすものであって、一枚の板で、両方の機能を果たすものではない。
また、特許文献２に記載の多目的平板体は、鏡としての機能は有していない。
【０００６】
本発明は、前記の問題を解決するものであり、鏡、筆記具による書き込み板、小物取付板、及び書類掲示板などの多用途に利用できる多目的ボードセットを提供することを目的としている。
【課題を解決するための手段】
【０００７】
本考案は、以下の通りである。
（１）少なくとも一面側の表面が鏡面仕上げされた磁性を有するステンレス板と、該ステンレス板の表面に着脱自在のマグネットホルダーと、を備えている多目的ボードセット。
（２）前記表面には、意匠性を有する絵柄が施されている（１）に記載の多目的ボードセット。
（３）前記絵柄は、草木の景色を表現したものである（２）に記載の多目的ボードセット。
（４）前記絵柄は、スクリーン印刷により施されたものである（２）又は（３）に記載の多目的ボードセット。
（５）前記ステンレス板はフェライト系ステンレス素材である（１）乃至（４）のうちのいずれか１項に記載の多目的ボードセット。
（６）前記フェライト系ステンレス素材はＳＵＳ４３０である（５）に記載の多目的ボードセット。
【０００８】
（７）前記マグネットホルダーは、意匠性を有する合成樹脂からなるマグネットホルダー本体と、該マグネットホルダー本体に挿着したマグネットと、からなる（１）乃至（６）のうちのいずれか１項に記載の多目的ボードセット。
（８）前記合成樹脂は、弾性変形可能な軟質材である（７）に記載の多目的ボードセット。
（９）前記軟質材は、熱可塑性エラストマーである（８）に記載の多目的ボードセット。
（１０）前記マグネットホルダー本体が、動物又は植物の形態を表現したものである（７）乃至（９）のうちのいずれか１項に記載の多目的ボードセット。
（１１）少なくとも一面側の表面が鏡面仕上げされ、且つ、意匠性を有する絵柄が施されているＳＵＳ４３０素材のステンレス板と、
該ステンレス板の表面に着脱自在のマグネットホルダーと、を備え、
前記マグネットホルダーは、意匠性を有する熱可塑性エラストマーからなるマグネットホルダー本体と、該マグネットホルダーに挿着したマグネットと、からなることを特徴とする多目的ボードセット。
【考案の効果】
【０００９】
本考案の多目的ボードセットは、少なくとも一面側の表面が鏡面仕上げされた磁性を有するステンレス板と、該ステンレス板の表面に着脱自在のマグネットホルダーと、を備えているため、鏡面仕上げした面が鏡としての機能を果たし、磁性を有しているステンレス板という点で、マグネットホルダーを着脱できる。そのため、このマグネットホルダーで小物を留めたり、書類をこのステンレス板に取り付けることができる。
すなわち、鏡、筆記具による書き込み板、小物取付板、及び書類掲示板など多用途に利用できる
【００１０】
前記ステンレス板表面には、意匠性を有する絵柄が施されていることが好ましい。絵柄を施すことにより、様々な雰囲気を醸し出すことが可能となる。
前記絵柄は、特に限定はなく、様々な形状、色彩、模様などを組み合わせることができるが、草木の景色を表現したものである場合は、落ち着いた気品に溢れる高級感を醸し出すことができる。
絵柄は、スクリーン印刷により施されたものであることが好ましい。スクリーン印刷によれば、印刷濃度があるため迫力のある表現が可能で、また、耐候性に優れ、色落ちがないという利点がある。
前記ステンレス板はフェライト系ステンレス素材であることが好ましい。フェライト系ステンレス素材であれば、磁性を有しており、マグネットを着脱自在に取り付けることができると共に、鏡面仕上げがしやすい。
前記フェライト系ステンレス素材がＳＵＳ４３０であれば、特に、好適に用いることができる。
【００１１】
前記マグネットホルダーが、意匠性を有する合成樹脂からなるマグネットホルダー本体と、該マグネットホルダー本体に挿着したマグネットと、からなるものであれば、簡易な構造で美感に優れるものとすることができる。
前記合成樹脂は、弾性変形可能な軟質材であることが好ましい。軟質材であれば、ステンレス板の表面を傷つけることなく使用することができる。
前記軟質材は、熱可塑性エラストマーである場合は、特に好適に用いることができる。  前記マグネットホルダー本体が、動物又は植物の形態を表現したものであれば、心が和み、楽しい雰囲気を醸し出すことができる。
多目的ボードセットが、少なくとも一面側の表面が鏡面仕上げされ、且つ、意匠性を有する絵柄が施されているＳＵＳ４３０素材のステンレス板と、該ステンレス板の表面に着脱自在のマグネットホルダーと、を備え、前記マグネットホルダーが、意匠性を有する熱可塑性エラストマーからなるマグネットホルダー本体と、該マグネットホルダーに挿着したマグネットと、からなるものであれば、鏡、筆記具による書き込み板、小物取付板、及び書類掲示板などの多用途に利用できると共に、美感に優れるものとなる。
【図面の簡単な説明】
【００１２】
【図１】本考案の多目的ボードセットの実施形態に係り、ステンレス板を固定台に取り付け例を示す斜視図である。
【図２】本考案の多目的ボードセットの実施形態に係り、ステンレス板をボールチェーンで吊るし、使用状態の例としてメモ用紙を貼り付けた状態を示す正面図である。
【図３】本考案の多目的ボードセットの実施形態に係り、ステンレス板をボールチェーンで吊るし、使用状態の例として筆記具で画いている状態を示す正面図である。
【図４】本考案の多目的ボードセットの実施形態に係り、ステンレス板にマグネットホルダーを取り付けた状態の断面図である。
【考案を実施するための形態】
【００１３】
以下、本考案を図１〜４を参照しながら詳細に説明する。なお、本考案は、かかる図に記載された具体例に示すものに限られず、目的、用途に応じて種々変更したものとすることができる。
本考案の「多目的ボードセット」は、例えば、図１に示すように、少なくとも一面側の表面が鏡面仕上げされた磁性を有するステンレス板１０と、該ステンレス板１０の表面に着脱自在のマグネットホルダー５１、５２と、を備えている。
前記「ステンレス板」は、少なくとも一面側の表面が鏡面仕上げされ、且つ、磁性を有している。すなわち、ステンレス板は、鏡面仕上げされていると共に、磁性を有していてマグネットを着脱することができる。
したがって、ＳＵＳ３０４素材のような、磁性を有していないオーステナイト系のステンレス板は、鏡面仕上げできたとしても、本考案のステンレス板には適さない。
【００１４】
一方、フェライト系ステンレスなどのクロム系ステンレスであれば、ニッケル含有量が少なく、鉄含有量が多いため、磁性を有しており、本考案のステンレス板として用いることができる。このフェライト系ステンレスのなかでも、特に強磁性であり鏡面仕上げにも適しているＳＵＳ４３０素材であることが好ましい。
【００１５】
ステンレス板は、少なくとも一面側の表面が鏡面仕上げされていれば、特に限定はないが、図１〜３に示すように、ステンレス板表面には、意匠性を有する絵柄が施されていることが好ましい。
絵柄を施す方法に特に限定はなく、種々の方法を用いることができる。絵の具により、直接画いてもよいし、絵柄を施した薄い板状の部材を貼り付けてもよいが、スクリーン印刷により施すことが特に好ましい。
【００１６】
前記「マグネットホルダー」は、マグネットホルダー本体と、該マグネットホルダー本体に挿着したマグネットと、からなり、上記ステンレス板に磁気吸着する機能を有していれる。マグネットホルダーは、ステンレス板に磁気吸着できるものであれば特に限定はなく、種々の形態のものを用いることができる。
マグネットホルダー本体の形状、材質も特に限定はなく、金属製、合成樹脂製、木製などを用いることができるが、合成樹脂製であることが好ましい。合成樹脂製であれば、金型により、種々の意匠性を有するマグネットホルダー本体を容易に製造することができる。また、合成樹脂は、弾性変形可能な軟質材であることが好ましい。軟質材であれば、ステンレス板の表面を傷つけることなく使用することができる。更に、熱可塑性エラストマーである場合は、射出成形機により成形が容易であるという利点がある。
【００１７】
マグネットホルダーへのマグネットの挿着についても特に限定はないが、図４に示すマグネットホルダー５３のように、マグネットホルダー本体５３ａの略中央部分の裏面から柱状のマグネット５３ｂを挿着したものとすることができる。挿着に際しては、マグネットホルダー５３ｂに設けた挿入孔に圧入して固定してもよいし、接着して固定してもよい。
ここで、マグネット５３ｂがステンレス板２０の表面２０ａと直接接触するのを避けるために、マグネット底面５３ｂｓがマグネットホルダー５３ａの底面より内部にあり、僅かに空間５４が形成されていることが好ましい。こうすることで、マグネット５３ｂによりステンレス板２０の表面２０ａが傷つくのを防ぐことができる。なお、この空間部はそのままでもよいが、樹脂等でふさいでおくこともできる。
【実施例】
【００１８】
以下、本考案に係る多目的ボードセットを、実施例により更に具体的に説明する。
［実施例１］
本考案の実施例１の多目的ボードセット１は、図１に示すように、ステンレス板１０が２箇所、固定台６０に固定されている。このステンレス板１０は、磁性を有するＳＵＳ４３０の素材から形成されており、厚さ０．８ｍｍ、高さ１４２ｍｍ、幅２００ｍｍであり、その表面は鏡面仕上げされている。そのため、鏡として用いることができる。
更に、その表面には、スクリーン印刷により絵柄が施されている。絵柄に特に限定はなく、様々な形態の絵柄を施すことができるが、ステンレス板１０の絵柄は、地面から上方に向かって広がって延びる安定感のある木１５と、その枝の葉１５ａ及び地面下方に茂っている草１５ｂが画かれており、自然の美しさの中に気品が漂う風景である。
【００１９】
ステンレス板１０の表面には、蝶の形態のマグネットホルダー５１と、バラの形態のマグネットホルダー５２が着脱自在に取り付けてある。これらのマグネットホルダーは、熱可塑性エラストマーからなるマグネットホルダー本体と、該マグネットホルダー本体に挿着したマグネットと、からなる。
【００２０】
このようにステンレス板１０に画かれた自然の中に、これらの動植物が溶け込んで、美しいハーモニーを醸し出している。
この蝶のマグネットホルダー５１は、蝶の羽根が左右上方に傾斜して広がっているため、ステンレス板１０の表面に羽根の裏側が反射して影５１ａを形成して、より一層立体感に溢れ、看る者を楽しませてくれる。
バラのマグネットホルダー５２は、裏面全体が平面であるため、接触面積が大きく、マグネットホルダー５２とステンレス板１０の間に紙片等を挟んだ場合、特に確実に固定することができる。
【００２１】
［実施例２］
本考案の実施例２の多目的ボードセット２は、図２に示すように、ステンレス板２０に設けた２箇所の貫通孔２０ｈに、ボールチェーン２５を挿通して、固定部材８０に係止固定されている。
このステンレス板２０も、実施例１に係るステンレス板１０と同様、ＳＵＳ４３０素材から形成されており、その表面は鏡面仕上げされているため、鏡として用いることができる。
ステンレス板２０は、厚さ０．８ｍｍ、高さ２００ｍｍ、幅３３３ｍｍである。ステンレス板２０の表面には、リスの形態のマグネットホルダー５３と、葉の形態のマグネットホルダー５４が着脱自在に取り付けてある。
【００２２】
ステンレス板２０の絵柄も、地面から上方に向かって広がって延びる安定感のある木２５と、その枝の葉２５ａ及び地面下方に茂っている草２５ｂが画かれており、リスの形態及び葉の形態とで織り成す美的効果については、実施例１と同様である。
リスの形態のマグネットホルダー５３によって、ステンレス板２０の表面にメモ用紙７０が留められている。このリスの形態のマグネットホルダー５３は、裏面全体が平面であるため、接触面積が大きく、紙片を確実に固定することができる。さらに、着脱に際してはリスの胴体部分、尾の部分のいずれも指で挟みやすく着脱が容易である。
【００２３】
［実施例３］
本考案の実施例３の多目的ボードセット３は、図３に示すように、実施例２の多目的ボードセット２と同様、ステンレス板３０に設けた２箇所の貫通孔３０ｈに、ボールチェーン２５を挿通して、固定部材８０に係止固定されている。
このステンレス板２０も、実施例１に係るステンレス板１０と同一のＳＵＳ４３０素材から形成されており、その表面は鏡面仕上げされているため、鏡として用いることができる。
ステンレス板２０は、厚さ０．８ｍｍ、高さ４００ｍｍ、幅１４３ｍｍと縦長である。
このため、柱等の幅狭の場所への取付にも適している。
【００２４】
図３に示すように、マーカー９０をステンレス板３０付近に備えておけば、マーカー９０を手Ｈに持って、ステンレス板３０の表面上に直接書くことができる。出かける間際に、鏡を見るついでに、気づいたことをメモしたり、メモしたものを読み取ったりするのに便利である。
なお、実施例１におけるステンレス板１０、実施例２におけるステンレス板２０においても、同様の使用をすることができる。
なお、図３においては、マグネットホルダーを省略して記載しているが、多目的ボードセット３においても、マグネットホルダーを着脱して、実施例１又は実施例２のように使用することができる。
【産業上の利用可能性】
【００２５】
本考案の多目的ボードセットは、磁性を有するステンレス板の技術分野において利用される。特に、磁性を有するステンレス板を鏡、筆記具による書き込み板、小物取付板、及び書類掲示板などの多用途に利用する技術の分野において好適に利用される。
【符号の説明】
【００２６】
１、２、３；多目的ボードセット、１０、２０、３０；ステンレス板、２０ａ；表面、５１、５２、５３、５４；マグネットホルダー、５３ａ；マグネットホルダー本体、５３ｂ；マグネット
【図１】
0003161826.tif 000003
【図２】
0003161826.tif 000004
【図３】
0003161826.tif 000005
【図４】
0003161826.tif 000006